(57)【要約】【課題】  大きな面積、特に胸郭や脚部にわたって物質を分与するようにできる包装及びアプリケータ装置を提供する。【解決手段】  本発明は、  物質の供給源を収容する第１の空間と；  物質を充填するのに適したアプリケータ部材と；  第１の空間とアプリケータ部材との間にのびる第１の壁と；  第１の壁に接続した少なくとも第１のチムニーと；  第１のチムニーの内側の第２の空間と；  第１の壁を貫通して第１及び第２の空間内に通じている少なくとも一つのオリフィスと；  物質を供給できかつ少なくとも第１のチムニーによって第２の空間から少なくとも部分的に分離した第３の空間と；を有し、  第１の壁が、第１の空間と第３の空間との間で物質を循環できる少なくとも一つの開口を備えて成る包装及びアプリケータ装置を提供する。【選択図】    図１
2005118562.tif 000002
【特許請求の範囲】
【請求項１】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に通じている少なくとも一つのオリフィスと；
物質を供給できかつ少なくとも第１のチムニーによって第２の空間から少なくとも部分的に分離した第３の空間と；
を有し、
第１の壁が、第１の空間と第３の空間との間で物質を循環できる少なくとも一つの開口を備えている
ことを有することを特徴とする包装及びアプリケータ装置。
【請求項２】
第３の空間が第２の空間を介して第１の空間と流体連通していることを特徴とする請求項１記載の包装及びアプリケータ装置。
【請求項３】
第３の空間が、第１のチムニーに形成した少なくとも一つのスロットを介して第２の空間に連通していることを特徴とする請求項１又は請求項２記載の包装及びアプリケータ装置。
【請求項４】
第１のチムニーの一端部が、第１の壁と反対側に位置し、そしてアプリケータ部材とほぼ接触していることを特徴とする請求項１〜３いずれか一項記載の包装及びアプリケータ装置。
【請求項５】
第１のチムニーの自由端部が、第１の壁と反対側に位置し、そしてアプリケータ部材から離間していることを特徴とする請求項１〜３いずれか一項記載の包装及びアプリケータ装置。
【請求項６】
アプリケータ部材が、第２、第３の空間のまわりでしかもそれら空間の上に少なくとも部分的にのびていることを特徴とする請求項１〜５いずれか一項記載の包装及びアプリケータ装置。
【請求項７】
装置を充分な時間の間、上向き状態に保持した時に、第２、第３の空間内の物質が第１の空間へ戻ることができるようにして、第１の壁及び第１のチムニーが構成されることを特徴とする請求項１〜６いずれか一項記載の包装及びアプリケータ装置。
【請求項８】
第１のチムニーがほぼ円筒状であることを特徴とする請求項１〜７のいずれか一項記載の包装及びアプリケータ装置。
【請求項９】
第１のチムニーの外径が５ｍｍ〜１０ｍｍの範囲内であることを特徴とする請求項８記載の包装及びアプリケータ装置。
【請求項１０】
第１のチムニーを取り巻く少なくとも一つの第２のチムニーを有し、第３の空間が第１、第２のチムニー間にのびていることを特徴とする請求項１〜９のいずれか一項記載の包装及びアプリケータ装置。
【請求項１１】
第１、第２のチムニーが同軸であることを特徴とする請求項１０記載の包装及びアプリケータ装置。
【請求項１２】
第２のチムニーがほぼ円筒状であることを特徴とする請求項１０又は請求項１１記載の包装及びアプリケータ装置。
【請求項１３】
第２のチムニーの外径が１２ｍｍ〜９０ｍｍの範囲内であることを特徴とする請求項１２記載の包装及びアプリケータ装置。
【請求項１４】
第２のチムニーを有し、第３の空間が第２のチムニーの内側に画定されていることを特徴とする請求項１〜１３のいずれか一項記載の包装及びアプリケータ装置。
【請求項１５】
第２のチムニーが第１のチムニーを包囲していないことを特徴とする請求項１〜１４のいずれか一項記載の包装及びアプリケータ装置。
【請求項１６】
第２のチムニーの外径が第１のチムニーの外径の２倍以下であることを特徴とする請求項１０〜１５のいずれか一項記載の包装及びアプリケータ装置。
【請求項１７】
第２のチムニーの外径が第１のチムニーの外径の３倍に等しいことを特徴とする請求項１０〜１６のいずれか一項記載の包装及びアプリケータ装置。
【請求項１８】
第２のチムニーと共動してアプリケータ部材の基部分を受ける溝を画定する外側スカートを有することを特徴とする請求項１０〜１７のいずれか一項記載の包装及びアプリケータ装置。
【請求項１９】
上記溝が環状であることを特徴とする請求項１８記載の包装及びアプリケータ装置。
【請求項２０】
第１、第２のチムニーがプラスチック材料を成形することによって一体に構成されることを特徴とする請求項１０〜１９のいずれか一項記載の包装及びアプリケータ装置。
【請求項２１】
第１、第２のチムニーが、容器の首部に固着する固着手段を備えていることを特徴とする請求項１０〜１９のいずれか一項記載の包装及びアプリケータ装置。
【請求項２２】
第１、第２のチムニーが、それらの基部部分で、第１の壁によって互いに接続されることを特徴とする請求項１０〜２１のいずれか一項記載の包装及びアプリケータ装置。
【請求項２３】
第１、第２のチムニーが、少なくとも一つの仕切り部材によって互いに接続されることを特徴とする請求項１０〜２２のいずれか一項記載の包装及びアプリケータ装置。
【請求項２４】
上記少なくとも一つの仕切り部材が、それらの基部からの高さの少なくとも一部分にわたってのびていることを特徴とする請求項２４記載の包装及びアプリケータ装置。
【請求項２５】
アプリケータ部材が第２のチムニーの自由縁部に支持していることを特徴とする請求項１０〜２４のいずれか一項記載の包装及びアプリケータ装置。
【請求項２６】
アプリケータ部材が、外側に向って半径方向に開いた少なくとも一つの環状溝を備えていることを特徴とする請求項１〜２５のいずれか一項記載の包装及びアプリケータ装置。
【請求項２７】
アプリケータ部材が、容器に対して静止している基部分を備えていることを特徴とする請求項１〜２６のいずれか一項記載の包装及びアプリケータ装置。
【請求項２８】
アプリケータ部材が、容器に対して可動である基部分を備えていることを特徴とする請求項１〜２７のいずれか一項記載の包装及びアプリケータ装置。
【請求項２９】
基部分が、弾性戻り部材の戻り作用に対して可動であることを特徴とする請求項２８記載の包装及びアプリケータ装置。
【請求項３０】
上記戻り部材が、コイルばねであることを特徴とする請求項２９記載の包装及びアプリケータ装置。
【請求項３１】
アプリケータ部材が圧縮可能であることを特徴とする請求項１〜３０のいずれか一項記載の包装及びアプリケータ装置。
【請求項３２】
アプリケータ部材が発泡体で構成されていることを特徴とする請求項１〜３１のいずれか一項記載の包装及びアプリケータ装置。
【請求項３３】
容器を閉じるキャップを有することを特徴とする請求項１〜３２のいずれか一項記載の包装及びアプリケータ装置。
【請求項３４】
アプリケータ部材が、キャップを容器に装着した時に圧縮されることを特徴とする請求項３３記載の包装及びアプリケータ装置。
【請求項３５】
第１のチムニーの軸線が容器の長手方向軸線と一致していることを特徴とする請求項１〜３４のいずれか一項記載の包装及びアプリケータ装置。
【請求項３６】
第１のチムニーの軸線が容器の長手方向軸線に対して非ゼロ角度を成していることを特徴とする請求項１〜３５のいずれか一項記載の包装及びアプリケータ装置。
【請求項３７】
容器が外壁を備え、物質がこの外壁と接触することを特徴とする請求項１〜３６のいずれか一項記載の包装及びアプリケータ装置。
【請求項３８】
物質がぐにゃぐにゃのバッグに収容されることを特徴とする請求項１〜３７のいずれか一項記載の包装及びアプリケータ装置。
【請求項３９】
容器の外壁が撓み性であり、その中にたわみ性バッグが配置され、また容器には、バッグと外壁との間の空間に空気を通すことのできる空気受容逆止め弁が取り付けられ、またバッグには、チムニー及びアプリケータ部材に向って物質を一方向に流す出口逆止め弁が設けられることを特徴とする請求項３８記載の包装及びアプリケータ装置。
【請求項４０】
容器が、身体に塗布する物質、特にセルフタンニングを収容することを特徴とする請求項１〜３９のいずれか一項記載の包装及びアプリケータ装置。
【請求項４１】
アプリケータ部材が、アプリケータ部材を容器に固着するのに役立つ基部分を備え、この基部分が軸線に沿ってのびるスカートの形態でありかつ半径方向の内面を備え、また、軸線に沿った高さの一部分にわたって、支持体が上記軸線のまわりの一回転以下にわたって半径方向内面に接触することを特徴とする請求項１〜４０のいずれか一項記載の包装及びアプリケータ装置。
【請求項４２】
アプリケータ部材が、スカートをもつ基部分を備え、第１のチムニーが上記スカートの内側に少なくとも部分的にのびていることを特徴とする請求項１記載の包装及びアプリケータ装置。
【請求項４３】
アプリケータ部材が、軸線Ｘをもつ基部分及び塗布用の部分を備え、軸線Ｘに垂直に測った基部分の厚さが、軸線Ｘに沿って測った物質の塗布用の部分の厚さより厚いか又は等しいことを特徴とする請求項１記載の包装及びアプリケータ装置。
【請求項４４】
第１のチムニーのまわりにのびかつ第３の空間内に開放する“形状”の多数の開口を有していることを特徴とする請求項１記載の包装及びアプリケータ装置。
【請求項４５】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に通じている少なくとも一つのオリフィスと；
物質を供給できかつ少なくとも第１のチムニーによって第２の空間から少なくとも部分的に分離した第３の空間と；
を有し、
第１のチムニーが、第２の空間と第３の空間との間で物質を循環できる横方向開口を備えている
ことを有することを特徴とする包装及びアプリケータ装置。
【請求項４６】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１及び第２の空間内に開放した多数のオリフィスと；
を有し、
第１のチムニーが、アプリケータ部材内に少なくとも部分的にのびている
ことを有することを特徴とする包装及びアプリケータ装置。
【請求項４７】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に通じている少なくとも一つのオリフィスと；
物質を供給できかつ少なくとも第１のチムニーによって第２の空間から少なくとも部分的に分離した第３の空間と；
を有し、
第１の壁及び第１のチムニーが、装置を充分に長い時間の間上向き状態に維持した時に第２の空間及び第３の空間内の物質を第１の空間へ戻るように構成されている
ことを有することを特徴とする包装及びアプリケータ装置。
【請求項４８】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に開放した少なくとも一つのオリフィスと；
物質を供給できかつ少なくとも第１のチムニーによって第２の空間から少なくとも部分的に分離した第３の空間と；
を有し、
ポンプ又は弁を備えている
ことを有することを特徴とする包装及びアプリケータ装置。
【請求項４９】
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１のチムニーのまわりの第２のチムニーと；
第１、第２のチムニーの間の第３の空間と；
を有し、
アプリケータ部材が第２のチムニーのまわりに少なくとも部分的にのび、
第３の空間がアプリケータ部材に向って全体が開放している
ことを有することを特徴とする包装及びアプリケータ装置。
【発明の詳細な説明】
【技術分野】
【０００１】
本発明は、物質の供給源を収容する容器と、物質を充填するのに適しかつ容器に固着されるアプリケータ部材とを有する包装及びアプリケータ装置に関するものである。
【背景技術】
【０００２】
このような包装及びアプリケータ装置は、特に本願出願人の出願に係る特許文献１、特許文献２及び特許文献３に記載されている。
【特許文献１】ＥＰ０８７２１９３−Ａ１
【特許文献２】フランス国特許第２８０００４１号
【特許文献３】ＥＰ１３１２２８０−Ａ１
【０００３】
大きな面積、特に胸郭や脚部にわたって物質を分与するようにされる上記型の装置による利点を受ける要求がある。
【発明の開示】
【発明が解決しようとする課題】
【０００４】
本発明はこのような要求を満足させることにある。
【課題を解決するための手段】
【０００５】
本発明は、その一実施形態において、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に通じている少なくとも一つのオリフィスと；
物質を供給できかつ少なくとも第１のチムニーによって第２の空間から少なくとも部分的に分離した第３の空間と；
を有し成る包装及びアプリケータ装置を提供する。
【０００６】
第１の壁は、第１の空間と第３の空間との間で物質を循環できる少なくとも一つの開口を備え得る。
【０００７】
一実施形態において、本発明は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１及び第２の空間内に通じている多数のオリフィスと；
を有し、
第１のチムニーが、アプリケータ部材内に少なくとも部分的にのびている
包装及びアプリケータ装置を提供する。
【０００８】
一実施形態において、本発明は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に開放した少なくとも一つのオリフィスと；
物質を供給できかつ少なくとも第１のチムニーによって第２の空間から少なくとも部分的に分離した第３の空間と；
を有し、
第１のチムニーが、第２の空間と第３の空間との間で物質を循環できる横方向開口を備えている
包装及びアプリケータ装置を提供する。
【０００９】
一実施形態において、本発明は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に通じている少なくとも一つのオリフィスと；
物質を供給できかつ少なくとも第１のチムニーによって第２の空間から少なくとも部分的に分離した第３の空間と；
を有し、
第１の壁及び第１のチムニーが、装置を充分に長い時間の間上向き状態に維持した時に第２の空間及び第３の空間内の物質を第１の空間へ戻るように構成されて成る
包装及びアプリケータ装置を提供する。
【００１０】
一実施形態において、本発明は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１の壁を貫通して第１及び第２の空間内に開放した少なくとも一つのオリフィスと；
物質を供給できかつ少なくとも第１のチムニーによって第２の空間から少なくとも部分的に分離した第３の空間と；
を有し、
分与装置、例えばポンプ又は弁を備えて成る
包装及びアプリケータ装置を提供する。
【００１１】
本発明は、特に、大きな面積にわたって満足な仕方で物質を塗布でき、そしてアプリケータ部材に物質が過剰な量又は不十分な量存在する危険を低減できる装置を提供できる。ユーザーは、分与される量を容易に決めることができる。
【００１２】
第１のチムニーは、第１の壁上にのびることができる。第２及び（又は）第１の空間は第１の壁によって第１の空間から分離され得る。支持体は、例えば、切断部（切欠き部）をもちかつ第１のチムニー上にのびる壁によって欠け得る。
【００１３】
例えば、第１のチムニーのまわりの通路の少なくとも一部にわたってのび得る、又は別のチムニーの内側に設けられ得る第３の空間の存在によって、装置の用いられる条件及びアプリケータ部材の性質に一層ぴったりと適合させるために、物質の流量を容易に調整することができる。
【００１４】
アプリケータ部材は、非分割型又は非穴明き型であり得る。アプリケータ部材は第２の空間全体を占めなくてもよい。アプリケータ部材は好ましくは、塗布中、容器に固定され得る。第３の空間は、アプリケータ部材に直接開放し得る。
【００１５】
多数のオリフィスが第１及び第２の空間内に開放している場合、例えば、第１のチムニーをアプリケータ部材の基部分に接触させるようにして構成することができる。従って、第１のチムニーは例えば容器にアプリケータ部材を保持するのに寄与でき、しかも多数のオリフィスによって生じる損失水頭をもたらす、アプリケータ部材に物質が過給される問題の危険を避けることができる。
【００１６】
上記の第２及び第３の空間は物質の供給源と普遍的に流体連通できる。
【００１７】
第３の空間は、例えば第１の壁を通って形成され第３の空間内に連通する少なくとも一つのオリフィスを介して、第１の空間に流体連通できる。
【００１８】
変形例では、第３の空間は、第２の空間を介して第１の空間に流体連通でき、物質は第１のチムニーの少なくとも一部分に沿って流れて第３の空間に達する。
【００１９】
第３の空間は、例えば第１のチムニーに形成した少なくとも一つのスロットを介して第２の空間に連通できる。
【００２０】
第１のチムニーの一端部は、第１の壁と反対側に位置し得、そしてアプリケータ部材と実質的に接触する。こうして、第１のチムニーはアプリケータ部材を支持でき、アプリケータ部材は処理すべき表面に対して押圧され、これにより、塗布中の快適さを改善できる。
【００２１】
第１のチムニーの自由端部は、隙間によってアプリケータ部材から離間され得、この隙間は、第１のチムニーがアプリケータ部材を保持するのに寄与できるべきであるのが望ましいか否か及び第１のチムニー上に物質を収容できる室を形成するのが望ましいか否かに関連して多少の程度のびるように選択され得る。この隙間の存在により、アプリケータ部材を処理すべき表面に当てながら、アプリケータ部材に多少の撓み性を与えることができるようになる。
【００２２】
アプリケータ部材は、容器が上向き状態にある時すなわちアプリケータ部材が物質の供給源上に配置される時、第２、第３の空間のまわりでしかもそれら空間の上に少なくとも部分的にのび得る。
【００２３】
第１の壁及び第１のチムニーは、装置を充分な時間の間、上向き状態に保持した時に、第２、第３の空間内の物質が第１の空間へ戻ることができるようにして、構成され得る。
【００２４】
第１のチムニーは実質的に円筒状であり得、そして第１のチムニーの外径は５ｍｍ〜１０ｍｍの範囲内であり得る。
【００２５】
本発明の一実施形態において、本装置は、例えば第１のチムニーを取り巻くことのできる少なくとも一つの第２のチムニーを有する。第３の空間は例えば環状の形状をもち得る。変形例では、装置は、第１のチムニーを包囲しない少なくとも一つの第２のチムニーを含み、第３の空間は第２のチムニー内に画定されている。
【００２６】
これらのチムニーの寸法、それらの数、それらの位置及びこれらのチムニーに物質を供給する流れ部分即ち通路に従って、利用中の物質の流量に影響を及ぼすことができる。
【００２７】
第１、     第２のチムニーは同軸であり得、それによりアプリケータ部材は一様な仕方で供
給できる。第１、第２のチムニーは実質的に円筒状であり得、例えばそれぞれ５ｍｍ〜１０ｍｍの範囲及び１２ｍｍ〜９０ｍｍの範囲内の外径を有する。二つのチムニーは、例えば５ｍｍ〜１０ｍｍの範囲の距離だけ半径方向に離間され得る。
【００２８】
第２のチムニーは、第１のチムニーの外径の少なくとも二倍に等しい外径をもち得、例えば第１のチムニーの外径の三倍に実質的に等しい外径をもち得る。
【００２９】
これらのチムニーの少なくとも一つの高さは、例えば５ｍｍ以上又は５ｍｍに等しく、
特に１０ｍｍ以上又は１０ｍｍに等しく、例えば１５ｍｍ〜４０ｍｍの範囲である。  
【００３０】
本装置は、外側スカート、特に第２のチムニーと共動してアプリケータ部材の基部分を受ける溝を画定する外側スカートを有し得る。この外側スカートはその外側に、例えばねじ固着又はスナップ固着によって容器を閉じるキャップを固着するのに適した手段を備え得る。
【００３１】
第１、第２のチムニーは、プラスチック材料を成形することによって一体に構成され得、そして特に第１、第２のチムニーは、容器の首部に固着する固着手段と一体に成形され得る。
【００３２】
第１のチムニー及び第２のチムニーは、それらの基部部分で、第１の壁によって互いに接続
され得、第１の壁は容器の首部の軸線を横切ってのび得る。第１の壁は、第１、第２のチムニー間に連通する少なくとも一つのオリフィスによって穴あけされ得る。
【００３３】
一実施形態では、第１、第２のチムニー間に画定した第３の空間は、例えば第１のチムニーを介して設けた例えば一つ以上のスロットの形状の一つ以上のオリフィスを介して供給され得る。
【００３４】
本発明の一実施形態において、第１の壁は、外側スカートと第２のチムニーとの間に形成した空間の底端部を完全に閉じ、この空間に係合されるアプリケータ部材の底部分に物質を供給するのを避ける働きをし得る。
【００３５】
第１、     第２のチムニーは、第１の壁以外の手段によって互いに接続される必要がない。
変形例では、第１、第２のチムニーは、それらの基部からのびるそれらの高さの少なくとも一部分にわたって少なくとも一つの仕切り部材によって互いに接続され得る。このような仕切り部材は例えば水頭損失をさらに増大させる働きをし得、又はアプリケータ部材の保持に寄与し得る。
【００３６】
アプリケータ部材は第２のチムニーの自由縁部に対して随意に押圧し得る。
【００３７】
アプリケータ部材の基部分には、適当には外側に向って半径方向に開いた少なくとも一つの環状溝が設けられ得る。このような溝は、アプリケータ部材に対して比較的大きな撓み性を与え得る。
【００３８】
アプリケータ部材の基部分は容器に対して静止し得、そして随意に解放できる仕方で取付けられ得る。変形例では、アプリケータ部材は、容器に対して可動である基部分を備え得る。基部分は、特に、弾性戻り部材特にコイルばねの戻り作用に抗して可動であり得る。例として、コイルばねは上記の横壁に対して支持し得る。
【００３９】
アプリケータ部材は、処理すべき表面の性質に適した任意の形状、例えば外方へ凸状の形状のアプリケータ表面を備え得る。アプリケータ部材は、例えば物質の局部供給を確立するために、少なくとも一つの突起部又は切れ込み部を含むアプリケータ領域を備え得る。アプリケータ部材はまた、円錐形状、ピラミッド形状又は面取りした形状のアプリケータ表面を備え得る。アプリケータ表面はまた例として第１のチムニーの軸線に実質的に垂直な方向にのびることができる。
【００４０】
アプリケータ部材は圧縮可能であり、例えば発泡体で構成される。
【００４１】
アプリケータ部材は、任意に、フロック加工部を備え得る。適当には、アプリケータ部材は殺菌剤又は殺カビ剤を備え得る。
【００４２】
有利には、本装置は、容器を閉じるキャップを有する。このキャップは容器に漏れ防止して固着されるように構成され得る。アプリケータ部材は、キャップを容器に装着した時に任意に圧縮され得る。キャップを外すと、それに伴ってアプリケータ部材は膨張し得る。
【００４３】
第１のチムニー及び第２のチムニーの軸線は、容器の長手方向軸線と一致し得る。第１のチムニー及び第２のチムニーの軸線はまた、例えば容器の製作をさらに人間工学的にするために、容器の長手方向軸線に対してゼロでない角度を成し得る。
【００４４】
容器は外壁を備え得、この外壁に物質が接触する。変形例では、物質は容器内のぐにゃぐにゃのバッグに収容され得る。
【００４５】
このような状況の下では、容器は撓み性の外壁を備え得、その中にたわみ性バッグが配置され、また容器には、バッグと外壁との間の空間に空気を通すことのできる空気受容逆止め弁が取り付けられ得る。またバッグには、アプリケータ部材に向って物質を一方向に流す出口逆止め弁が設けられ得る。
【００４６】
第１のチムニーの内側の第２の空間及び物質の供給源を収容する第１の空間は、いかなる弁又は閉鎖システムも使用することなしに、互いに流体連通できる。変形例では、第２の空間には、ユーザーの操作できる弁又は閉鎖システムを介して物質が供給され得、閉鎖システムは、例えば物質がアプリケータ部材に達するのを阻止する働きをし、本装置は例えばハンドバッグに入れて携帯される。
【００４７】
一実施形態において、アプリケータ部材は、アプリケータ部材を容器に保持する働きをする基部分を備え得、この基部分は軸線に沿ってのびるスカートの形態でありかつ半径方向の内面を備える。第１のチムニーは、アプリケータ部材のスカート内に少なくとも部分的にのび得る。容器は、半径方向内面に接触してのびる支持部品を備え得る。
上記軸線に沿った高さの一部分にわたって、支持部品は、上記軸線のまわりの一回転以下にわたってスカートの半径方向内面に接触し得る。
【００４８】
このような形態により、アプリケータ部材は、特に二つの支持壁間にスカートをクランプすることによって信頼できる仕方で保持でき、しかもアプリケータ部材は、特にアプリケータ部材に向う物質の流れに対して支持部品によって利用できるようにした部分を選択することにより、適当な仕方で供給され得る。
【００４９】
容器は、種々のトリートメント物質、特に化粧品や皮膚科の物質を収容し得、そして特に身体、例えば胸郭や脚部に塗布する物質を収容し得る。物質としては化粧品やケアー製品、例えばセルフタンニング剤、遮光剤或いは保湿クリームが含まれ得る。
【００５０】
アプリケータ部材は、軸線Ｘをもつ基部分及び物質を塗布する働きをする部分を備え得、軸線Ｘに垂直に測った基部分の厚さは、軸線Ｘに沿って測った物質の塗布用の部分の厚さより厚いか又は等しい。
【００５１】
本発明のなお別の目的は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
第１のチムニーのまわりの第２のチムニーと；
第１のチムニーと第２のチムニーの間の第３の空間と；
を有し、
アプリケータ部材が、第２のチムニーのまわりに少なくとも部分的にのび、第３の空間がアプリケータ部材に向って全く開放して成る
包装及びアプリケータ装置を提供することにある。
【００５２】
用語“全く開放し”は、第３の空間とアプリケータ部材との間に格子のような中間部材が挿置されないことを意味し得る。
【００５３】
本発明の別の目的は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
を有して成る包装及びアプリケータ装置を提供することにある。
【００５４】
アプリケータ部材は、閉鎖カバーを装着した後、アプリケータ部材の圧縮を低減でき、そして第１の空間に向ってアプリケータ部材にしみ込んだ物質を戻す危険を低減できる。
【００５５】
本発明のなお別の目的は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
を有して成る包装及びアプリケータ装置を提供することにある。
【００５６】
アプリケータ部材は、内側に向って半径方向に向いたリムの上方端部における外部スカート内に固定され得る。これにより装置の製造を容易にできる。
【００５７】
本発明のなお別の目的は、
物質の供給源を収容する第１の空間と；
物質を充填するのに適したアプリケータ部材と；
第１の空間とアプリケータ部材との間にのびる第１の壁と；
第１の壁に接続した少なくとも第１のチムニーと；
第１のチムニーの内側の第２の空間と；
を有し、
アプリケータ部材が装置の首部に挿置したモノリシック支持部品に固定されて成る包装及びアプリケータ装置を提供することにある。
【００５８】
本発明はさらに、
物質の供給源を収容する第１の空間と；
物質を充填でき、穴のなくかつスリットのないアプリケータ部材と；
第１の空間とアプリケータ部材との間にのびる第１の壁と；
第１の壁に接続した第１のチムニーと；
第１のチムニーの内側の第２の空間と；
を有して成る包装及びアプリケータ装置を提供することを目的としている。
【００５９】
本発明は、添付図面を参照して、本発明を限定しない実施形態についての以下の詳細な説明から一層良く理解される。
【発明を実施するための最良の形態】
【００６０】
図１に示す装置１は、物質Ｐの供給源を収容した容器３及び物質を浸透させかつ容器３で支持されるアプリケータ部材４を有している。
【００６１】
図示例では、容器３の本体はその頂部に首部５を備え、この首部５にアプリケータ部材４の支持部品６が例えば図示したようにスナップ固着によって固着されている。
【００６２】
装置１は、容器を閉じるキャップ８を備えることができ、キャップ８は、例えば支持部品６の外側スカート１４のねじ１０にねじ込むように構成されている。
【００６３】
図示したように、キャップ８は、容器を漏れなしに閉じるために、支持部品６の外側スカート１４に対して漏れなしに支持するように構成した環状密封リップ１２を備えることができる。
【００６４】
支持部品６は図示したように、首部５の半径方向内面に対して漏れないように支持する密封リップ１６を備えることができる。
【００６５】
図示例では、支持部品６は、第１のチムニー２０及び第１のチムニー２０と同軸である第２のチムニー２２を備え、これら二つのチムニー２０、２２は図示例では首部５の軸線に一致した軸線Ｘのまわりの円筒状であり、第２のチムニー２２の外径は、例えば第１のチムニー２０の外径の三倍にほぼ等しい。例として、第１のチムニー２０の外径は、約７ｍｍに等しく、また第２のチムニーの外径は例えば約２１ｍｍに等しい。当然、本発明は、直径についてこれらの特定値に限定されない。
【００６６】
チムニー２０、２２は横壁２４によって基部を介して接続され、横壁２４は軸線Ｘに垂直にのび、そして外側スカート１４によって上向きにまた容器の首部５にスナップ固定されるように構成したリム２６によって下向きに周囲にのびている。
【００６７】
横壁２４には、軸線Ｘに平行な軸線の少なくとも一つのオリフィス２７が設けられ、第１、第２のチムニー２０、２２の間に形成した環状溝３０と、物質の供給源を収容する容器３の内側の空間３３との間に普遍的な流体連通が得られる。
【００６８】
第１のチムニー２０内の空間３４は容器の内側空間３３と流体連通する。
【００６９】
物質は、容器３を上下逆の状態にした時又は容器３を振った時に、溝３０及び第１のチムニー２０を通って流れアプリケータ部材４に到達できる。
【００７０】
説明している例では、支持部品６は容器の本体３に対して静止しているが、しかし変形例では、支持部品６は本体３に対して軸線方向に動くことができ及び（又は）回転でき、また支持部品６は閉鎖システムと共動するように構成されて、ユーザーは以下に詳細に説明するように内側空間３３を選択的な仕方でアプリケータ部材に連通できる。
【００７１】
図１に示す例では、アプリケータ部材４は、外側スカート１４と第２のチムニー２２との間に形成した環状溝３７にクランプされるほぼ管状形の基部分３６を介して支持部品６に固定される。
【００７２】
基部分３６は、他の仕方で固定でき、特に外側スカート１４、第２のチムニー２２及び横壁２４の少なくとも一つに熱シールでき又はスタックできる。
【００７３】
例えば支持部品６に装着する前に、軸線Ｘに垂直に測った基部分の厚さは、アプリケータ部材の中心部の軸線Ｘに沿って測った厚さより厚い。軸線Ｘに沿った厚さは物質の粘度に関連して選択され得、例えば物質が粘性である場合には比較的薄い。
【００７４】
適当には、支持部品６に対してアプリケータ部材４を保持するために支持部品６には付加的な部品を取付けることができ、この付加的な部品は、例えばスナップ嵌め、接着剤又は熱シールによって支持部品６に固着される。
【００７５】
説明している実施形態では、アプリケータ部材４の内面３９は、図１に見られるように、第２のチムニー２２の自由縁部４０及び第１のチムニーの自由縁部４１に当接している。従って第１、第２のチムニー２０、２２は、処理すべき表面に押圧される際にアプリケータ部材４を支持する働きをする。
【００７６】
オリフィス２７の寸法、それらの数（図２に示すように四つのオリフィス２７が設けられ得る）、並びにチムニーの数、位置及び寸法は、特に、物質がアプリケータ部材４の外面４５上に過剰の物質がすぐに溜まる余りに速い速度で流れないことを保証するように、特に物質の性質特に粘度、アプリケータ部材４の性質及び処理すべき表面の位置の関数として選択される。
【００７７】
アプリケータ部材は、種々の材料で構成でき、特に弾性的に圧縮可能な材料、例えば開放気泡又は半開放気泡をもつ発泡体、特にポリエチレン、塩化ポリビニル、ポリエーテル、ポリエステル、アクリロニトリルブタジエンゴム、スチレンブタジエンゴムの発泡体で構成できるが、このリストは本発明を限定するものではない。
【００７８】
アプリケータ部材は、例えば、使用中に変形するように十分に圧縮可能であることができる。
【００７９】
キャップ８を図１に示すように容器３に装着した時に、アプリケータ部材４は圧縮されて、キャップを外した時に、膨張することを保証する。変形例では、アプリケータ部材は、キャップ８を容器に装着した時に圧縮される必要はない。
【００８０】
装置１を用いるために、ユーザーは容器３を上下に振って、物質が重力により環状溝３０及び第１のチムニーの内側３４内に流れさせ、アプリケータ部材４の内面３９に流れ、アプリケータ部材４に物質を充填できる。塗布は、アプリケータ部材４を上下に向けることによって行うことができ、また下方に向ける場合にはアプリケータ部材４に物質は重力で供給でき、アプリケータ部材４は皮膚上を動かされる。
【００８１】
アプリケータ部材４には、重力以外に例えば物質を加圧すること、例えば容器の壁をスキージすることによって物質を供給してもよい。
【００８２】
当然、本発明の範囲から逸脱せずに、図１及び図２を参照して説明してきた装置に対して種々変更ができる。
【００８３】
特に、チムニー２０、２２の間に形成した環状溝３０を容器の内部空間３３に連通させる働きをするオリフィス２７の数及び形状を変更することができ、そして例えば図３に示すようにオリフィス２７を腎臓形に構成することができる。
【００８４】
また、図４に示すように、チムニー２０、２２を相互に接続している仕切り部材４７の間に形成される孔の形態にオリフィス２７を構成することができ、これらの仕切り部材４７は、チムニーの高さの全体にわたって又はそれらの一部にわたってのび、そして随意にはアプリケータ部材と接触する。
【００８５】
仕切り部材４７は、例えば水頭損失を増大するため、又はアプリケータ部材４内の物質の分布を改善するため、支持部品６を一様に大きな程度に仕切ることができる。
【００８６】
図５に示すように、連続した第２のチムニー２２に代えて側板４８を設けることができ、仕切り部材４７は、アプリケータ部材４の基部分３６に近接した端部で側板４８に接続される。基部分３６は側板４８と支持部品６の外側スカート１４との間にクランプされて保持され得る。
【００８７】
適当には、二つの隣接した仕切り部材４７の間に形成された空間の各々は、図６に示すように、小さな断面のオリフィス２７を介して容器の内側空間３３に連通でき、それにより水頭損失を増大できる。
【００８８】
図７に示す変形実施形態は、側板４８がない点及び半径方向外方縁部４９がアプリケータ部材４の基部分３６に当接するように仕切り部材４７がのびている点において図５に示すものと異なっている。
【００８９】
図８に示す変形実施形態は、仕切り部材４７がない点及び側板４８が横壁２４をだけを介してチムニー２０に接続されている点において図６に示すものと異なっている。チムニー２０のまわりにのびる空間３０は、例えば図示したように側板４８とチムニー２０との間のほぼ中間に設けられ得るオリフィス２７を介して容器の内側空間３３に連通している。
【００９０】
変形実施形態では、チムニー２０は円筒状であり、そして断面が円筒状でない特に多角形、例えば三角形であるチムニー２２によって包囲され得、チムニー２２は図９に示すように、横壁２４に底部で接続され、チムニー２０と共動して三つの空間５２を画定している。これらの空間５２は横壁２４を貫通するオリフィス２７を介して容器３の内側空間３３に連通している。図示したように、横壁は第２のチムニー２２の外側に開放するオリフィスを備えないことが必要である。チムニー２２は、縁部５９を介して基部分３６の半径方向内面５８に押圧し得、支持部品６は、軸線Ｘのまわりの全周囲にわたってではなく基部分３６と接触する。
【００９１】
基部分３６は、第２のチムニー２２と外側スカート１４との間にクランプすることにより支持部品６上に保持され得る。
【００９２】
また、本発明によれば、第１のチムニーに加えて、第１のチムニーを包囲しない少なくとも一つの第２のチムニー５４及び特に第１のチムニーに触れない二つの他のチムニー５４を有する装置を構成することができ、三つのチムニーは同心ではなく、それらの長手方向軸線は例えば図１０に示すように三角形の頂点に位置している。
【００９３】
各チムニー５４の内側空間５５は円筒状であり、容器３の内側空間３３と一端部で連通し得る。三つのチムニーはアプリケータ部材４の基部分３６の半径方向内面に対して少なくとも一つの発生線（ｇｅｎｅｒａｔｏｒ  ｌｉｎｅ）を介して接触し得る。
【００９４】
支持部品が多数のチムニーを有する場合に、これらチムニーは、例えばチムニーの頂縁部で画定されたようにしかも図１１に示すように突起した円錐状部分、或いは図１２に示すように凹状円錐状部分をもつ包囲体内に収容され得る。
【００９５】
図１３の例では、チムニー２０、５４は互いに接触しない。
【００９６】
横壁２４には単にチムニーと整列したオリフィスが設けられ得、これらのオリフィスは例えばチムニーと同じ内側断面をもち、或いは変形例では、横壁は少なくとも一つの付加的なオリフィス、例えば図１４に示すように中央領域に多数のオリフィス２７を備え得る。
【００９７】
図１３及び図１４の例では、チムニーの横断面は腎臓型であるが、他の形状も可能である。
【００９８】
一般に、本発明に従って構成した装置は、適当には、図１５及び図１６に示すように、少なくとも一つのスロット５６を備えた少なくとも一つのチムニーを有することができる。
【００９９】
図１６の例では、第１のチムニー２０は、第１のチムニー２０と第２のチムニー２２との間に設けた環状空間３０に物質を供給できるスロット５６を備えている。この環状空間３０は、スロット５６を通って内側空間３３から入ってくる物質を受けることができる。横壁２４は、図示したように、環状空間３０及び内側空間３３の両方に開放しているオリフィスを設ける必要がない。変形例では、このようなオリフィスを設けてもよい。
【０１００】
第１のチムニーを通して形成したスロット５６は、図１７及び図１８に示すように、仕切り部材４７間に形成された空間３０に連通し得る。この例では、横壁２４にはチムニー２０に通じるオリフィス以外のオリフィスは設けられてない。
【０１０１】
図１９に示すように、側壁４８の高さと異なる高さの仕切り部材４７及びチムニー２０を設けることができ、特にそれらは短くできる。
【０１０２】
図２０に示す変形実施形態では、第１のチムニー２０は第２のチムニー２２と同軸ではない。
【０１０３】
第１のチムニー２０の横断面は、横壁２４を通るところ含めて一定であり得、或いは図２１に示すように、第１のチムニー２０は、断面の小さなオリフィス５９を介して容器３の空間３３に連通し得る。さらに、図２１に示すように、アプリケータ部材４の内面３９は第１のチムニー２０の自由縁部４１と接触する必要がない。
【０１０４】
図２２の例では、図示したように、キャップ８は、このキャップを容器３に装着した時に、アプリケータ部材４と接触する必要がない。容器は、例えば外側スカート１７の半径方向外面にはキャップを押圧することにより漏れなしに閉じることができる。
【０１０５】
アプリケータ部材４は種々の仕方で、特に図２３に示すように構成され得、第２のチムニー２２と外側スカート１４との間に係合される底部分３６に、外側に向いて半径方向に開放する環状溝６１が形成され得る。この環状溝６１は例えば図示したように外側スカート１４に対して又は図示していない変形例では上向きに開放し得る。例として、このような溝６１はアプリケータ部材４に対して付加的な変形可能性を与える働きをし得る。
【０１０６】
アプリケータ部材４及び特にそれの基部分３６は、支持部品６に対して静止すなわち不動であり得るか又は図２４の実施形態に示すように、支持部品６に対して可動であり得る。
【０１０７】
図２４において、基部分３６は、外側スカート１４と第２のチムニー２２との間に形成した環状溝３７に係合するリング６８に当接し、このリング６８は、例えばコイルばねで構成した弾性戻し部材６３に対して支持し、このコイルばねは溝３７の底部において横壁２４に対して支持している。アプリケータ部材４は、処理すべき表面に対して押し当てた時に支持部品６に向ってバッキングできるようにして構成される。第２のチムニー２２は図示したようにリング６８を保持する歯９８を備え得る。
【０１０８】
アプリケータ部材４をばねに装着することにより、塗布中の心地良さをさらに改善することができる。
【０１０９】
当然、アプリケータ部材４は非常に広範囲の形状に構成でき、特に凸面以外の形状の外面４５を備えることができ、例えば図２５に示すように軸線Ｘを中心とする凹面形状をもつことができ、図２７に示すように少なくとも突起部６６又は凹み部６７を備えることができ、図２６に示すように実質的に円錐形又はピラミッド形の形状をもつことができ、或いは図２９に示すように、軸線Ｘに対して斜めに傾斜したアプリケータ面４５を画定する面取り形状でもよい。
【０１１０】
図２８において、アプリケータ部材の外面は、少なくとも中心領域において、軸線Ｘに垂直なほぼ平面である。
【０１１１】
図２６及び図２８に見られるように、第１のチムニー２０の高さは第２のチムニー２２の高さと異なり、特に第２のチムニー２２の高さより高い。これにより、アプリケータ部材が圧縮可能であり、使用時に第１のチムニー２０に対して押圧されそして解放される場合における吸引作用を避けることができる。
【０１１２】
容器に対して多数のチムニーが設けられる場合に、中央拡張部、例えばチムニーの一つを備えてアプリケータ部材がアプリケータ部材の基部分３６に近いチムニーを塞ぐのを防ぐようにするのが有利であり得る。
【０１１３】
図２９に見られるように、チムニーの一つ例えば第１のチムニー２０の自由端部４１は、軸線Ｘと斜めに交差する平面にのびるように構成できる。
【０１１４】
例として、容器３は、容器を容易に保持できかつ身体に物質を塗布できるような形状に構成でき、特にチムニー２０、２２の軸線Ｘが図３０に示すように容器の長手方向軸線Ｙに対してゼロでない角度αを成すような形状にできる。
【０１１５】
容器３は、硬質でない外壁８０、特に形状記憶特性をもつ撓み性壁を備えることができる。このような撓み性壁８０は物質を分与している際に容器３の内部の圧力を高める働きをもつことができ、それにより物質をアプリケータ部材４に容易に流れさせることができる。
【０１１６】
物質Ｐはまた図３１に示すようにぐにゃぐにゃのバッグ７０に収容することもでき、バッグ７０は容器３内に配置される。バッグ７０と容器３の外壁８０との間には空気受容逆止め弁７３が取付けられ得、この弁は、空間７１内に吸引が生じた時のみ開放する。バッグ７０は端部片７４に接続され得、端部片７４は容器の首部５に係合され、端部片７４は例えば支持部品６によって首部に保持される。端部片７４には物質出口逆止め弁７６が取付けられ得、この弁は、バッグ７０内の圧力が上昇した時のみ開放する。弁７３、７６は例えばエラストマーで構成でき、できればオーバーモールディングによって形成される。
【０１１７】
ユーザーが外壁８０をスキージすると、内側空間７１の容積は減少し、それによりバッグ７０に作用する圧力が上昇し、出口弁７６を通って物質を送出させる。ユーザーが外壁８０を解放すると、バッグ７０の内容積の減少によりバッグ７０の外側の容器の内側に吸引が生じ、空気受容逆止め弁７３は開放して圧力を平衡にする。
【０１１８】
アプリケータ部材には、容器を上下転倒状態にするか又は容器を振ることによって物質が供給され得る。
【０１１９】
ユーザーが操作するのに適した分与手段も用いることができる。例として、図３２にはポンプや弁のような分与手段１００が示されている。アプリケータ部材支持体はポンプ又は弁ロッド１０１と共動するように構成され得、ロッド１０１は軸線Ｘに沿って動く例えば押圧されると、図示例では例えば第１のチムニー２０の通路に沿って物質を分与させる。弁を用いる場合には、物質は容器内に加圧状態で収容され得る。
【０１２０】
また、容器に収容された物質の供給源とアプリケータ部材との間の連通を一時的に閉じるシステムを設けることもできる。
【０１２１】
このようなシステムの限定しない例として、図３３に示すように、容器３の首部に固着される部品１０５に対して回動できる支持体にアプリケータ部材が取付けられ、支持体は閉じた位置と開いた位置との間で回動でき、そして物質は、部品１０５における少なくとも一つのオリフィス１０７と、支持体及び部品１０５にそれぞれ属する同心スカート１０８、１０９の間に形成した開口を通ってアプリケータ部材に到達できる。支持体が閉じた位置ある時、スカート１０８、１０９は開口を閉じる。この閉鎖システムはまた、ポート１０６に対して支持体を軸線方向に動かすことによって開閉を調節するように構成され得る。
【０１２２】
特に図１〜図３１に示す例では、包装及びアプリケータ装置は例えば第２のチムニー２２の外側に少なくとも一つの第２の空間３０、５２又は５５を備え、該第２の空間内に、アプリケータ部材に物質を充填するために利用している間に物質Ｐが流れ得る。
【０１２３】
この第２の空間の存在により、アプリケータ部材の基部分３６の内側部分より小さい部分を第１のチムニーに設けることができ、そしてアプリケータ部材に充填されることになる物質の量を容易に調節できるようになる。
【０１２４】
図３４及び図３５に示す本発明の実施形態では、チムニー２０は、実質的に基部分３６の内側部分に対応した外側部分を備えている。とは言っても、横壁２４に多数のオリフィス２７が形成され、チムニー２０の内側の空間内に開放している。これらのオリフィス２７は、アプリケータ部材４に向って物質が流れることのできる速度を低減する格子を形成する。
【０１２５】
図３６及び図３７の実施形態では、第１のチムニー２０には、例えばスリットのような横開口がなく、また横壁２４には、溝３０を直接内部空間３３に連通させる、上記の開口２７のような開口がない。
【０１２６】
アプリケータ部材４は、例えば特に図２３の実施形態の場合のように、第２のチムニー２２と外側スカート１４との間に固定される。
【０１２７】
この実施形態では、第１のチムニー２０の高さは第２のチムニーの高さに実質的に対応している。
【０１２８】
カバー即ちキャップ８を外すと、アプリケータ部材４の中心部分の内面３９は図３６に見られるように第１のチムニー２０の自由縁部４１に接触しない。
【０１２９】
カバー８を装着すると、アプリケータ部材４の基部分３６は変形でき、第この変形は環状溝６１の存在により容易にされる。
【０１３０】
アプリケータ部材４の中央部分は、第１のチムニー２０と接触しないので、第１の
チムニー２０に向って相対的に容易に動くことができ、それでカバー８を完全に装着
した時に、アプリケータ部材４の中央部分は、第１のチムニー２０とカバー８の底部
との間で強く圧縮され得ない。
【０１３１】
これにより、アプリケータ部材４に浸透する物質がアプリケータ部材４によって解放され、そして製品を収容する内部空間３３内に流れる危険を軽減できる。
【０１３２】
図３６及び図３７に示すように、溝３０はアプリケータ部材４に直接開放し、アプリケータ部材は溝３０との間に格子を介在させることなしに溝３０の底部に対向している。
【０１３３】
容器の内部空間３３に向ってアプリケータ部材４内の物質が戻ることがないので、容器内の物質が使用中にアプリケータ部材４に付着した不純物によって汚染されける危険を低減することができる。
【０１３４】
当然、本発明は、説明してきた実施形態に限定されず、種々の実施形態の特徴を互いに組合わせることができる。特に、図３０の容器には、例えば図３〜図２４に示す分与ヘッドのいずれかを取付けることができ、またこれら図面のアプリケータ部材４はそれ自体図２５〜図２９に示すアプリケータ部材のいずれかに代えることができる。
【０１３５】
アプリケータ部材４は、発泡体以外の材料で構成することもでき、例えばアプリケータ部材４はフェルト、スポンジ、或いは焼結プラスチックや無機材料で構成することができる。アプリケータ部材４の構造は、単一ブロック又は多層から成ってもよく、例えば織物又は不織繊維或いは表面をフロック加工したものを備えてもよい。
【０１３６】
横壁２４はさらに別の形状でもよく、特に材料の簡単なブリッジのみで構成してもよい。
【０１３７】
チムニーは周囲方向に任意に連続させて、適当に高さ及び（又は）周囲の広がりの部分が等しくないようにしてもよい。
【０１３８】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【０１３９】
【図１】本発明に従って構成した装置の一実施形態の概略軸方向断面図。
【図２】図１の矢印ＩＩ−ＩＩに沿った部分概略横断面図。
【図３】装置の変形実施形態を示す、図２と同様な図。
【図４】装置の変形実施形態を示す、図２と同様な図。
【図５】装置の変形実施形態を示す、図２と同様な図。
【図６】装置の変形実施形態を示す、図２と同様な図。
【図７】装置の変形実施形態を示す、図２と同様な図。
【図８】装置の変形実施形態を示す、図２と同様な図。
【図９】装置の変形実施形態を示す、図２と同様な図。
【図１０】装置の変形実施形態を示す、図２と同様な図。
【図１１】チムニー包囲体の外形を示す図。
【図１２】チムニー包囲体の外形を示す図。
【図１３】変形実施形態を示す、図２と同様な図。
【図１４】変形実施形態を示す、図２と同様な図。
【図１５】チムニーの変形形態を示す図。
【図１６】変形実施形態を示す、図２と同様な図。
【図１７】変形実施形態を示す、図２と同様な図。
【図１８】装置の分与ヘッドの変形実施形態を示す、図１７のＸＶＩＩＩ−ＸＶＩＩＩに沿った部分概略縦断面図。
【図１９】装置の分与ヘッドの変形実施形態を示す部分概略縦断面図。
【図２０】本装置の変形実施形態を示す、図１７と同様な図。
【図２１】装置の分与ヘッドの変形実施形態を示す部分概略縦断面図。
【図２２】装置の分与ヘッドの変形実施形態を示す部分概略縦断面図。
【図２３】装置の分与ヘッドの変形実施形態を示す部分概略縦断面図。
【図２４】装置の分与ヘッドの変形実施形態を示す部分概略縦断面図。
【図２５】装置の分与ヘッドの変形実施形態を示す部分概略縦断面図。
【図２６】装置の分与ヘッドの変形実施形態を示す部分概略縦断面図。
【図２７】装置の分与ヘッドの変形実施形態を示す部分概略縦断面図。
【図２８】装置の分与ヘッドの変形実施形態を示す部分概略縦断面図。
【図２９】装置の分与ヘッドの変形実施形態を示す部分概略縦断面図。
【図３０】本発明の装置の変形実施例形態の他の概略縦断面図。
【図３１】本発明の装置の変形実施例形態の他の概略縦断面図。
【図３２】ユーザーが操作できる分与手段を含む変形例の部分概略縦断面図。
【図３３】アプリケータ部材と容器との間の連通を一時的に閉じるシステムを含む変形例の部分概略縦断面図。
【図３４】本発明の装置の変形実施例形態の他の概略縦断面図。
【図３５】図３４のＸＸＸＶ−ＸＸＸＶに沿った部分概略縦断面図。
【図３６】閉鎖カバーを外した変形例の部分概略縦断面図。
【図３７】閉鎖カバーを装着した変形例の図３６と同様な図。
【符号の説明】
【０１４０】
１：包装及び塗布装置
３：容器
４：アプリケータ部材
５：首部
６：支持部品
８：キャップ（カバー）
１０：ねじ
１２：環状密封リップ
１４：外側スカート
１６：密封リップ
２０：第１のチムニー
２２：第２のチムニー
２４：横壁
２６：リム
２７：オリフィス
３０：環状溝
３３：容器３の内側空間
３４：第１のチムニー２０内の空間
３６：基部分
３７：環状溝
３９：アプリケータ部材４の内面
４０：第２のチムニー２２の自由縁部
４１：第１のチムニー２０の自由縁部
４５：アプリケータ部材４の外面
４７：仕切り部材
４８：側板
４９：半径方向外方縁部
５２：空間
５４：第２のチムニー
５５：内側空間
５６：スロット
５８：基部分３６の半径方向内面
５９：縁部（オリフィス）
６１：環状溝
６６：突起部
６７：凹み部
６８：リング
７０：バッグ
７１：空間
７３：空気受容逆止め弁
７４：端部片
７６：物質出口逆止め弁
８０：硬質でない外壁
９８：歯
１００：分与手段
１０１：ポンプ又は弁ロッド
１０５：部品
１０６：ポート
１０７：オリフィス
１０８：スカート
１０９：スカート
【図１】
2005118562.tif 000003
【図２】
2005118562.tif 000004
【図３】
2005118562.tif 000005
【図４】
2005118562.tif 000006
【図５】
2005118562.tif 000007
【図６】
2005118562.tif 000008
【図７】
2005118562.tif 000009
【図８】
2005118562.tif 000010
【図９】
2005118562.tif 000011
【図１０】
2005118562.tif 000012
【図１１】
2005118562.tif 000013
【図１２】
2005118562.tif 000014
【図１３】
2005118562.tif 000015
【図１４】
2005118562.tif 000016
【図１５】
2005118562.tif 000017
【図１６】
2005118562.tif 000018
【図１７】
2005118562.tif 000019
【図１８】
2005118562.tif 000020
【図１９】
2005118562.tif 000021
【図２０】
2005118562.tif 000022
【図２１】
2005118562.tif 000023
【図２２】
2005118562.tif 000024
【図２３】
2005118562.tif 000025
【図２４】
2005118562.tif 000026
【図２５】
2005118562.tif 000027
【図２６】
2005118562.tif 000028
【図２７】
2005118562.tif 000029
【図２８】
2005118562.tif 000030
【図２９】
2005118562.tif 000031
【図３０】
2005118562.tif 000032
【図３１】
2005118562.tif 000033
【図３２】
2005118562.tif 000034
【図３３】
2005118562.tif 000035
【図３４】
2005118562.tif 000036
【図３５】
2005118562.tif 000037
【図３６】
2005118562.tif 000038
【図３７】
2005118562.tif 000039
【外国語明細書】
2005118562.tif 000040
2005118562.tif 000041
2005118562.tif 000042
2005118562.tif 000043
2005118562.tif 000044
2005118562.tif 000045
2005118562.tif 000046
2005118562.tif 000047
2005118562.tif 000048
2005118562.tif 000049
2005118562.tif 000050
2005118562.tif 000051
2005118562.tif 000052
2005118562.tif 000053
2005118562.tif 000054
2005118562.tif 000055
2005118562.tif 000056
2005118562.tif 000057
2005118562.tif 000058
2005118562.tif 000059
2005118562.tif 000060
2005118562.tif 000061
2005118562.tif 000062
2005118562.tif 000063
2005118562.tif 000064
2005118562.tif 000065
2005118562.tif 000066
2005118562.tif 000067
2005118562.tif 000068
2005118562.tif 000069
2005118562.tif 000070
2005118562.tif 000071
2005118562.tif 000072
2005118562.tif 000073
2005118562.tif 000074
2005118562.tif 000075
2005118562.tif 000076
2005118562.tif 000077
2005118562.tif 000078
2005118562.tif 000079
2005118562.tif 000080
2005118562.tif 000081
2005118562.tif 000082
2005118562.tif 000083